(57)【要約】  物干し装置であって、支持具と、衣類、その他の物品が固定されうる複数の綱状部が取り付けられるのに適した綱状部保持具であって、該綱状部保持具は、該支持具から横方向に延出する使用位置と不使用位置との間で移動するために、動作可能に該支持具へ取り付けられている綱状部保持具と、を備え、該支持具は、壁あるいは類似の構造へ取り付け可能である支持フレームを有し、該綱状部保持具は、該使用位置と該不使用位置との間で枢動するために、枢動可能に該支持フレームへ取り付けられており、カバーが備えられており、該綱状部保持具が該不使用位置にある場合に、該カバーが該綱状部保持具を視界から隠すような収納位置であって、該カバーが該綱状部および／または該綱状部保持具と実質的に当接するような収納位置へ、該カバーと該綱状部保持具が収まりうるように配置されており、該カバーは、該綱状部保持具へ動作可能に接続されているパネルを有し、該綱状部保持具が該使用位置にある操作位置状態にあるとき、該カバーが、該綱状部保持具の該綱状部から上方におよび間隙を空けて配置されていることを特徴とする、物干し装置。
2009502367.tif 000002
【特許請求の範囲】
【請求項１】
物干し装置であって、
支持具と、
衣類、その他の物品が固定されうる複数の綱状部が取り付けられるのに適した綱状部保持具であって、前記綱状部保持具は、前記支持具から横方向に延出する使用位置と不使用位置との間で移動するために、動作可能に前記支持具へ取り付けられている綱状部保持具と、を備え、
前記支持具は、壁あるいは類似の構造へ取り付け可能である支持フレームを有し、
前記綱状部保持具は、前記使用位置と前記不使用位置との間で枢動するために、枢動可能に前記支持フレームへ取り付けられており、
カバーが備えられており、前記綱状部保持具が前記不使用位置にある場合に、前記カバーが前記綱状部保持具を視界から隠すような収納位置であって、前記カバーが前記綱状部および／または前記綱状部保持具と実質的に当接するような収納位置へ、前記カバーと前記綱状部保持具が収まりうるように配置されており、
前記カバーは、前記綱状部保持具へ動作可能に接続されているパネルを有し、
前記綱状部保持具が前記使用位置にある、操作位置状態にあるとき、前記カバーが、前記綱状部保持具の前記綱状部から上方におよび間隙を空けて配置されていることを特徴とする、物干し装置。
【請求項２】
使用位置と不使用位置との間で移動するために動作可能に前記支持具へ接続されている、追加の綱状部保持具をさらに備えることを特徴とする、請求項１に記載の物干し装置。
【請求項３】
前記追加の綱状部保持具が、前記使用位置と前記不使用位置との間で枢動するために、枢動可能に前記支持フレームへ取り付けられていることを特徴とする、請求項２に記載の物干し装置。
【請求項４】
前記複数の綱状部保持具が前記使用位置にある場合、前記複数の綱状部保持具は、互いに間隙を空けて前記支持フレームから横方向へ延出しており、前記複数の綱状部保持具が前記不使用位置にある場合、前記複数の綱状部保持具は互いに重なっていて、前記支持フレームに重なっていることを特徴とする、請求項３に記載の物干し装置。
【請求項５】
前記操作位置と、前記パネルが前記綱状部保持具の近傍にあって、かつ前記パネルが前記綱状部保持具に重なる前記収納位置と、の間で前記パネルが移動可能であるように、枢動可能である接続リンクを介して、前記パネルが前記綱状部保持具へ動作可能に取り付けられていることを特徴とする、請求項４に記載の物干し装置。
【請求項６】
前記カバーは、展開動作の間中および、前記使用位置にあるときに、前記保持フレームに対して実質的に平行を保持しながら、前記カバーが前記保持具から選択された距離だけ離れて延出するように、前記リンクが間隙を空けた配置で取り付けられていることを特徴とする、請求項５に記載の物干し装置。
【請求項７】
前記保持フレームの上方で、前記カバーの選択された、反復される高さを提供するために、前記リンクに選択位置を越えて回転させないように、止め具が備えられていることを特徴とする、請求項５又は６に記載の物干し装置。
【請求項８】
前記リンクが回動する前記選択位置は、展開中に、鉛直位置または垂直位置を越えてわずかに回動した後であり、それゆえ、前記使用位置にある場合、前記カバーが前記保持フレームの上方で前記選択された高さで保持されていながら、前記カバーは前記止め具に対して傾いていることを特徴とする、請求項７に記載の物干し装置。
【請求項９】
図面を参照して、実質的に以上のように説明される、物干し装置。
【発明の詳細な説明】
【発明の詳細な説明】
【０００１】
[発明の分野]
本発明は、一般に、乾燥させるために、衣料およびその他の物品を支持するための物干し装置と、その構成部材とに関する。「物干し」の表現は、衣料のみに使用される装置に限定されないと理解されるもので、例えば、タオル類、シーツ類、あるいは物干しに固定されうるいかなる物品といった、他の物品への使用に及ぶことを意図している。
[背景技術]
多くの種類の物干しが、現在知られている。現在一般的に知られている物干しは、相当なスペースを要するという欠点に悩まされている。この問題を軽減するため、現在知られている物干しの中には折り畳み式のものもあるが、あまり美的な魅力がないという不都合に悩まされている。さらには、該物干しにある衣料が、例えば雨のような悪天候や、鳥の排泄物にさらされることもあり、また、多くの物干しは室外に配置されるため、不使用時に埃が堆積することもある。
【０００２】
それゆえ、本発明の目的は、前述の１つ以上の不都合を軽減する物干し装置を提供することである。
[本発明の概要]
本発明の一態様によれば、物干し装置であって、支持具と、衣類、その他の物品が固定されうる複数の綱状部が取り付けられるのに適した綱状部保持具であって、該綱状部保持具は、該支持具から横方向に延出する使用位置と不使用位置との間で移動するために、動作可能に該支持具へ取り付けられている綱状部保持具と、を備え、該支持具は、壁あるいは類似の構造へ取り付け可能である支持フレームを有し、該綱状部保持具は、該使用位置と該不使用位置との間で枢動するために、枢動可能に該支持フレームへ取り付けられており、カバーが備えられており、該綱状部保持具が該不使用位置にある場合に、該カバーが該綱状部保持具を視界から隠すような収納位置であって、該カバーが該綱状部および／または該綱状部保持具と実質的に当接するような収納位置へ、該カバーと該綱状部保持具が収まりうるように配置されており、該カバーは、該綱状部保持具へ動作可能に接続されているパネルを有し、該綱状部保持具が該使用位置にある、操作位置状態にあるとき、該カバーが、該綱状部保持具の該綱状部から上方におよび間隙を空けて配置されていることを特徴とする、物干し装置が提供される。
【０００３】
該物干し装置は、使用位置と不使用位置との間で移動するために動作可能に前記支持具へ接続されている、追加の綱状部保持具をさらに備えていてもよい。該追加の綱状部保持具は、前記使用位置と前記不使用位置との間で枢動するために、枢動可能に前記支持フレームへ取り付けられていてもよい。好ましくは、２つの綱状部保持具が備えられており、該２つの綱状部保持具が該使用位置にある場合は、該２つの綱状部保持具は互いに間隙を空けて該支持フレームから横方向へ延出しており、該不使用位置にある場合は、該２つの綱状部保持具は、互いに、および該支持フレームに重なっていてもよい。
【０００４】
本発明の一態様では、該綱状部保持具は、それぞれ対向する側の間に延出する該綱状部を有する、例えば、ほぼ正方形または長方形の形状をしている保持フレームを有していてもよい。
【０００５】
上述のように、該追加の綱状部保持具は、第一に述べられた綱状部保持具の構造と、構造上類似していてもよい。好ましくは、両綱状部保持具が該不使用位置にある場合、互いに収納されうるように、該追加の綱状部保持具の周方向寸法は、第一の綱状部保持具の周方向寸法より小さくてもよい。
【０００６】
該パネルは、該操作位置と、該パネルが該綱状部保持具の近傍にあって、該パネルが該綱状部保持具に重なる該収納位置と、の間で該パネルが移動可能であるように、枢動可能である接続リンクを介して、該綱状部保持具へ動作可能に取り付けられていてもよい。
【０００７】
本発明の他の態様によれば、物干し装置と併用されるのに適したカバーが提供される。当該物干し装置は、支持具と、衣類、その他の物品が固定されうる複数の綱状部が取り付けられるのに適した綱状部保持具であって、該綱状部保持具は、該支持具本体から横方向に延出する使用位置と、不使用位置との間で移動するために、動作可能に該支持フレームへ取り付けられている綱状部保持具とを備え、該不使用位置では、カバーが備えられており、該綱状部保持具が該不使用位置にある場合に、該カバーが該綱状部保持具を視界から隠すような収納位置へ、該カバーと該綱状部保持具が収まりうるように配置されている。
【０００８】
該カバーは、第一に言及された該綱状部保持具へ動作可能に接続されているパネルを有し、該綱状部保持具が該使用位置にある操作位置状態にあるとき、該カバーが、該綱状部保持具の該綱状部から上方におよび間隙を空けて配置されている。該操作位置と、該パネルが該綱状部保持具の近傍にあって、かつ該パネルが該綱状部保持具に重なる該収納位置と、の間で該パネルが移動可能であるように、枢動可能である接続リンクを介して、該パネルが該綱状部保持具へ動作可能に取り付けられている。
【０００９】
別の態様では、該支持フレームが２つのほぼ直立の脚部を有している。各直立の脚部は、それぞれの延出位置と格納位置との間で移動するために伸縮自在に接続された、２つ以上の部材を備える。本態様では、該あるいは各綱状部保持具は該脚部へ動作可能に接続されており、それによって少なくとも１つの該綱状部保持具は上昇され得、そして、収納される不使用位置から使用位置へ移動されうる。該１つの綱状部保持具または複数の綱状部保持具、およびカバーは、前述された種類であってもよい。
【００１０】
さらに別の様態では、該支持フレームは、該あるいは各綱状部保持具が動作可能に接続されている、２つのほぼ直立の脚部を有している。本態様では、該カバーは、格納室を有するケーシングの形態であってもよく、該脚部が該格納室内に配置されている位置から、該脚部が該格納室から延出される第二の位置へ、該脚部が移動可能である。
【００１１】
また、本発明のさらに別の態様によれば、物干し装置であって、支持具と、衣類、その他の物品が固定されうる複数の綱状部が取り付けられるのに適した第一の綱状部保持具であって、該綱状部保持具は、該支持具から横方向に延出する使用位置と不使用位置との間で移動するために、動作可能に該支持具へ取り付けられている第一の綱状部保持具と、を備え、該支持具は、壁あるいは類似の構造へ取り付け可能である支持フレームを有し、該綱状部保持具は、該使用位置と該不使用位置との間で枢動するために、枢動可能に該支持フレームへ取り付けられており、第二の綱状部保持具は、該支持具から横方向に延出する使用位置と不使用位置との間で移動するために、動作可能に該支持具へ取り付けられており、該第二の綱状部保持具は、さらに、該使用位置にあるとき、該第一の綱状部保持具から間隔を空けるのに適している、物干し装置が提供される。
【００１２】
上述のように、該追加の綱状部保持具は、第一に述べられた綱状部保持具の構造と、構造上類似していてもよい。両綱状部保持具が該不使用位置にある場合、互いに収納されうるように、該追加の綱状部保持具の周方向寸法は、該第一の綱状部保持具の周方向寸法より小さいものが好ましい。
［好ましい実施例の説明］
図１から図５に示されている図面を参照すると、例えば、壁、フェンス等の構造へ取り付けられるのに適した、支持具１２を有する物干し装置が、一般に１０として示されている。該支持具本体は、ほぼ、長方形の構成であるフレーム１３であってもよい。該支持具本体を該構造へ取り付けるために、任意の締め具が用いられていてもよい。
【００１３】
該物干し装置は、さらに、衣類やその他の物品が固定されうる複数の綱状部（ロッド）１７が取り付けられるのに適した綱状部保持具１６を備える。図示されているように、該綱状部保持具１６は、ほぼ長方形の形状である保持フレーム１８を備え、互いにほぼ平行に配置されている複数の綱状部１７であって、該保持フレ−ム１８の対向する側の間に延出している複数の綱状部１７を有する。該保持フレーム１８は、図面に示されているように、該支持フレーム１３から横方向に延出している使用位置と、該２つのフレームが隣接面として配置される不使用位置との間で枢動するため、ヒンジ２１によって動作可能なように該支持フレーム１３へ取り付けられている。図５の矢印Ｙで示されるように、該保持フレーム１８が枢動することで、該保持フレームの不使用位置かまたは使用位置か、が選択されうる。図示されているように、該保持フレーム１８は、該支持フレーム１３の上端部で、該支持フレーム１３へ枢動可能に接続されている。
【００１４】
該物干し装置１０は、複数の綱状部（ロッド）２７を備える保持フレーム２８を有する、追加の綱状部保持具２６をさらに備えていてもよい。該綱状部保持具２６は、綱状部保持具１６と構造上類似しており、ヒンジ３１によって該支持フレームの下端部へ接続されている。該保持フレーム２８は、また、保持フレーム１８と同様に、図５の矢印Ｚで示されるように、使用位置と不使用位置の間で、枢動されうる。保持フレーム２８の平面における周方向寸法は、保持フレーム１８よりも小さいので、両フレームが該不使用位置にある場合、保持フレーム２８は保持フレーム１８内に収まりうる。各保持フレームには、該使用位置で各該フレームを保持する、それぞれ１対の支柱２２および支柱３２が備えられている。支柱３２はケーブルであってもよい。
【００１５】
該物干し装置は、綱状部保持具１６へ動作可能に接続されるカバー４０を備えていて、該綱状部保持具本体が該使用位置であって、操作位置にあるとき、該カバー４０は該綱状部保持具１６の該綱状部１７から間隙を配されるようになっている。該カバー４０は、図５の矢印Ｘで示されるように、枢動を可能にする接続リンク４４によって、動作可能に保持フレーム１８へ接続される、パネル４１であってもよく、該パネル４１は、収納位置では、該綱状部保持具１６に直接隣接する。該パネル４１に、周縁フランジ４５が設けられていてもよく、該周縁フランジ４５には、保持フレーム１８が収納位置にある時、該保持フレーム１８が保持されうるくぼみが設けられていてもよい。取手部４６は、該カバーを該収納位置と該操作位置との間で移動させるために設けられている。該リンク４４を回動させないため、該リンク４４の基部の近傍に、あるいは基部と一体をなして、止め具部が設けられていてもよい。その止め具部によって、使用位置にある時、該パネル４１は該保持フレーム１８の上方で選択された高さで保持される。該止め具部は、該リンクが垂直または鉛直な点を越えて回動するよう設けられていて、該物干し装置が該使用位置である間、該パネル４１の重量によって該リンクがそれぞれ対応する止め具に対して保持され続けるようになっている。
【００１６】
パネル４１は、一対の間隙を配したリンク４４を用いることで、保持フレーム１８から該使用位置へ展開している間中、該保持フレーム１８に対してほぼ平行に保たれる。
保持フレーム１８の視界を妨げるものがない位置に対応できるように、必要に応じ、カバー４０は、完全に取り除かれるか、あるいは取り付けられていてもよい。該カバーは、いかなる適切な材質でできているものであってよく、適切な仕上げがされていてもよい。該カバーは透明であっても不透明であってもよく、外周表面または反射面に絵（写真）を有していてもよい。額縁入りの絵等のような印象を与えるように、フレーム構造が、該パネルの周端部に配されていてもよい。
【００１７】
図６は、該支持具が伸縮自在に配置された一対の直立部材５３および５４を含む、別の実施例を示している。各伸縮自在の部材の上部は、形態がＩ型ビーム５５および５６の部分であって、該Ｉ型ビーム５５および５６の部分は、下端部にあるスロット内で摺動自在に受容可能であり、動作可能に接続された綱状部保持具を有する。さらに、該物干し装置は、使用位置と収納位置との間で移動するために上昇および降下されうる。
【００１８】
図７は、カバー６５がパネルであって、該パネルの背面で該綱状部保持具が該収納位置に配置されていることを除いて、図６と同様である。
図８は、物干し装置のさらに他の実施例を図示している。本実施例では、該カバーがケーシング７０の形態であって、綱状部保持具が収納位置にある場合、該綱状部保持具は該ケーシングに収納されるのに適している。この場合の該支持具本体は、図６を参照し説明された支持具本体と形状が類似している。該支持部本体が上昇された位置にある場合、図１から図５を参照して説明された該支持具本体と、実質的に同様に機能する。
【００１９】
図９から図１１は、カバーの他の実施例を示している。図９において、カバー８０は、該綱状部保持具を保持するケーシングの形態であって、枢動可能に取り付けられた閉鎖パネル８１を有し、それによって、該綱状部保持具にアクセスできるように該閉鎖パネル８１は開放されうる。
【００２０】
図１０は該閉鎖パネルが摺動自在であることを除いて、図９と構造が類似している。
図１１は、該閉鎖パネルが枢動可能に取り付けられた上壁部である、実施例である。
本発明の精神と範囲を逸脱することなく、種々の変形例、修正例、および／または追加例が、種々の部分の構成および配置に組み込まれていてもよい。
【図面の簡単な説明】
【００２１】
本発明を明確に理解するために、実施例を示す図面が添えられており、当該図面は次のとおりである。
【図１】本発明の1つの実施例における、物干し装置の概略構成を示す第一の等角図である。
【図２】図１に示された物干し装置の概略構成を示す第二の等角図である。
【図３】図１に示された物干し装置の平面図である。
【図４】物干し装置の正面図である。
【図５】物干し装置の側面図である。
【図６】別の実施例の概略図である。
【図７】図６に示された実施例の平面図である。
【図８】さらに他の実施例の概略図である。
【図９−１１】さらなる実施例の図である。
【図１】
2009502367.tif 000003
【図２】
2009502367.tif 000004
【図３】
2009502367.tif 000005
【図４】
2009502367.tif 000006
【図５】
2009502367.tif 000007
【図６】
2009502367.tif 000008
【図７】
2009502367.tif 000009
【図８】
2009502367.tif 000010
【図９】
2009502367.tif 000011
【図１０】
2009502367.tif 000012
【図１１】
2009502367.tif 000013
【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
物干し装置であって、
支持具と、
衣類、その他の物品が固定されうる複数の綱状部が取り付けられるのに適した第一の綱状部保持具であって、前記第一の綱状部保持具は、前記支持具から横方向に延出する使用位置と不使用位置との間で移動するために、動作可能に前記支持具へ取り付けられている第一の綱状部保持具と、を備え、
前記支持具は、壁あるいは類似の構造へ取り付け可能である支持フレームを有し、
前記第一の綱状部保持具は、前記使用位置と前記不使用位置との間で枢動するために、枢動可能に前記支持フレームへ取り付けられており、
カバーが備えられており、前記第一の綱状部保持具が前記不使用位置にある場合に、前記カバーが前記綱状部保持具を視界から隠すような収納位置であって、当該収納位置において、前記カバーが前記綱状部および／または前記第一の綱状部保持具と実質的に当接するような収納位置へ、前記カバーと前記綱状部保持具が収まりうるように配置されており、
前記カバーは、前記綱状部保持具または支持具へ着脱可能又は着脱可能でなく接続されており、前記綱状部保持具が前記使用位置にある、操作位置状態にあるとき、前記カバーの実質的な部分が、前記綱状部保持具の末端位置へ移動されうることを特徴とする、物干し装置。
【請求項２】
前記綱状部保持具が、前記使用位置と前記不使用位置との間で枢動するために、枢動可能に前記支持フレームへ取り付けられていることを特徴とする、請求項１に記載の物干し装置。
【請求項３】
前記カバーが、前記操作位置へ移動する間において、枢動軸を中心として枢動するのに適するように、前記綱状部保持具または支持ハウジングへ動作可能に接続されていることを特徴とする、請求項１又は２に記載の物干し装置。
【請求項４】
前記カバーが、前記操作位置へ移動する間において、摺動軸に沿って摺動するのに適するように、前記綱状部保持具または支持ハウジングへ動作可能に接続されていることを特徴とする、請求項１又は２に記載の物干し装置。
【請求項５】
前記枢動軸は、前記綱状部保持具またはハウジングの一端に配置された、垂直あるいは水平の軸であることを特徴とする、請求項３に記載の物干し装置。
【請求項６】
前記綱状部保持具が前記使用位置にある場合に、前記カバーが前記綱状部保持具または支持ハウジングの一方の側に配置されるように、前記カバーが前記綱状部保持具または支持ハウジングへ動作可能に接続されていることを特徴とする、請求項１から５のいずれか１つに記載の物干し装置。
【請求項７】
前記綱状部保持具が前記使用位置にある場合に、前記カバーが前記壁に対して実質的に平行に配置されるように、前記カバーが前記綱状部保持具または支持ハウジングへ動作可能に接続されていることを特徴とする、請求項１から６のいずれか１つに記載の物干し装置。
【請求項８】
前記綱状部保持具が前記使用位置にある場合に、前記カバーが前記綱状部保持具または支持ハウジングの下方に配置されるように、前記カバーが前記綱状部保持具または支持ハウジングへ動作可能に接続されていることを特徴とする、請求項１から７のいずれか１つに記載の物干し装置。
【請求項９】
前記綱状部保持具が前記使用位置にある場合に、前記カバーが前記綱状部保持具または支持ハウジングの上方に配置されるように、前記カバーが前記綱状部保持具または支持ハウジングへ動作可能に接続されていることを特徴とする、請求項１から７のいずれか１つに記載の物干し装置。
【請求項１０】
前記支持具および／または前記綱状部保持具へ動作可能に接続されている、伸縮自在のリンクが備えられており、前記綱状部保持具の前記高さは調整されうることを特徴とする、請求項１から９のいずれか１つに記載の物干し装置。
【請求項１１】
前記使用位置と前記不使用位置との間で移動するために動作可能に前記支持具へ接続されている、追加の綱状部保持具をさらに備えることを特徴とする、請求項１から１０のいずれか１つに記載の物干し装置。
【請求項１２】
前記第一のおよび追加の綱状部保持具が前記使用位置にある場合、前記第一のおよび追加の綱状部保持具は、互いに間隙を空けて前記支持フレームから横方向へ延出しており、前記第一のおよび追加の綱状部保持具が前記不使用位置にある場合、前記第一のおよび追加の綱状部保持具は互いに重なっていて、前記支持フレームに重なっていることを特徴とする、請求項１１に記載の物干し装置。
【請求項１３】
前記第一の綱状部保持具は、前記使用位置にある場合、前記追加の綱状部保持具の上方に配置されていることを特徴とする、請求項１１に記載の物干し装置。
【請求項１４】
前記カバーはケーシングを有しており、前記綱状部保持具が前記不使用位置にある場合、前記綱状部保持具はケーシングに収納されるのに適していることを特徴とする、請求項１から１３のいずれか１つに記載の物干し装置。
【請求項１５】
前記追加の綱状部保持具が、前記使用位置と前記不使用位置との間で枢動するために、前記支持フレームへ枢動可能に取り付けられていることを特徴とする、請求項１１に記載の物干し装置。
【請求項１６】
前記展開位置と、前記カバーが前記第一の綱状部保持具の近傍にあって、かつ前記カバーが前記第一の綱状部保持具に重なる前記収納位置と、の間で前記カバーが移動可能であるように、枢動可能である接続リンクを介して、前記カバーが前記第一の綱状部保持具へ動作可能に取り付けられていることを特徴とする、請求項１から１５のいずれか１つに記載の物干し装置。
【請求項１７】
前記カバーは、展開動作の間中および、前記使用位置にあるときに、前記第一の綱状部保持具に対して実質的に平行を保持しながら、前記カバーが前記第一の綱状部保持具から選択された距離だけ離れて延出するように、前記リンクが間隙を空けた配置で取り付けられていることを特徴とする、請求項１６に記載の物干し装置。
【請求項１８】
前記展開位置において、前記カバーが、前記第一の綱状部保持具の上方で、選択された、反復される高さで配置されるために、前記リンクに選択位置を越えて回転させないように、止め具が備えられていることを特徴とする、請求項１６に記載の物干し装置。
【請求項１９】
前記リンクが回動する前記選択位置は、展開中に、鉛直位置または垂直位置を越えてわずかに回動した後であり、それゆえ、前記使用位置にある場合、前記カバーが前記第一の綱状部保持具の上方で前記選択された高さで保持されていながら、前記カバーの前記重量が、前記止め具に対して傾いていることを特徴とする、請求項１８に記載の物干し装置。
【請求項２０】
追加の綱状部保持具は、第一の綱状部保持具の周方向寸法より小さい周方向寸法を有し、
前記追加の綱状部保持具は、前記不使用位置にある場合、前記第一の綱状部保持具内に収納されうることを特徴とする、請求項１１に記載の物干し装置。
【国際調査報告】
2009502367.tif 000014
2009502367.tif 000015
2009502367.tif 000016